【事件の表示】
　平成　５年特許願第１６００１７号「設備監視装置」拒絶査定不服審判事件〔平成　６年１２月２２日出願公開、特開平　６−３４８３３３〕について、次のとおり審決する。
【結　論】
　本件審判の請求は、成り立たない。
【理　由】
１．手続の経緯
　本願は、平成５年６月７日の出願であって、平成１３年１２月１９日付けで拒絶理由が通知され、指定期間内の平成１４年３月７日に意見書とともに手続補正がなされた。その後、平成１４年７月１６日付けで拒絶理由が通知され、指定期間内の同年９月２０日に意見書が提出された。その後、同年１０月２２日付けで拒絶査定がなされ、同年１１月２５日に前記拒絶査定に対する審判の請求がなされ、同年１２月２０日に手続補正がなされたものである。
　
２．本願発明について
　本願の請求項１に係る発明は、平成１４年３月１７日付けの手続補正書及び平成１４年１２月２０日付け手続補正書により補正された明細書及び出願当初の図面の記載からみて、その明細書の特許請求の範囲の請求項１ないし６に記載されたとおりのものと認められるところ、その請求項１に係る発明（以下「本願発明」という）は、次のとおりである。
　
「制御機器、測定機器または設備の設定内容、動作内容、監視内容等をディスプレイに表示すると共に、設定や監視の操作をマン・マシンにより行う設備監視装置において、前期機器または設備の各々を特定する記号または図形と前記機器または設備の各々の動作状態を識別するためのデータとを対応させて表示仕様テーブルを作成する手段と前記表示仕様テーブルに基いてプログラミングの作成を行うことなく監視画面を作成する手段とを設けたことを特徴とする設備監視装置。」
　なお、上記記載中の「前期機器」は、「前記機器」の誤記と認め、以後この意味で扱う。
　
３．引用文献
　（１）原査定の拒絶の理由に引用された特開平２−１７０２０４号公報（以下、「引用文献」という。）には、次の事項が記載されている。
　
　　　ａ．「１．情報表示装置の画面上に、モニタ用の固定画面を表示し、同一画面に表示する可動画面の位置を示すＴＡＧ番号とその可動画面の画素を記憶した画面ファイルメモリと、実際に制御している部分からのビット、ワードデータなどの制御情報と上記メモリ内の情報を関連付ける為の条件設定一覧表を記憶した条件設定一覧表メモリより成る情報表示装置において、表示条件を複数の制御情報の組合せによりパターン化し、しかも、そのパターンを番号化して、その表示条件に従って表示される場所を示す前述ＴＡＧ番号の末尾をパターン化された番号と同一としたことを特徴とする条件設定方式。」（特許請求の範囲）
　　　ｂ．「〔作用〕制御プロセスの事象のＣＲＴモニタは、ＣＲＴ画面上に制御プロセスの簡略図を表示し、実際の制御対象の動作を画面上の画素の変化により表現するものである。この変化する画素が画面上のどの位置であるかを示すのがＴＡＧ番号である。また、ＴＡＧ番号には属性として位置、色、フリッカーの情報が記憶されている。制御対象を制御する制御装置には、制御出力と入力信号が用意されている。この信号の変化を画素の変化の表現と結び付ける定義を行っているのが条件設定一覧表である。ここで、信号の変化のパターンに注目すると、例えばＯＮ、ＯＦＦ信号はパターンは２種あり、ＯＮ、ＯＦＦ信号が２個組合わせればパターンは４種となる。これに番号を適用して、ＯＮ、ＯＦＦの時は０と１、ＯＮ、ＯＦＦ信号を２個組合わせた時は、０，１，２，３とする。このパターンを画面上に表現する場合は、どのパターンが、固定画面のどのＴＡＧ番号に対応しているか判断する為に、制御対象の画面上の画素に付するＴＡＧ番号の末尾を上記パターン番号と同一とすることにより、信号の変化と、画面のＴＡＧ番号を対応付ける。
　ＴＡＧ番号は、１つの制御対象の画素上にプロットしていくが、プロセスの信号が１個の場合はＴＡＧを１つ又は２つ設定し、信号が２個の場合は、２〜４個のＴＡＧを設定する。しかも、ＴＡＧの末尾は、信号のパターンの変化に合った番号とする。ＴＡＧには、属性として、位置、色、フリッカーの情報が記憶されており、パターンの変化に伴い、ＴＡＧ番号が変わることにより、この属性を変えておけば、画面上制御対象の画素はＴＡＧの属性に従って変化し、プロセスの信号と同期して表示されるように見える。」（第２頁右上欄第１８行−右下欄第１１行）
　　　ｃ．「第１図は本発明実施例のプラント監視システムにおける計算機システムの構成図である。プラントにおける各被制御プロセス系１００からの諸量は、入力装置２を介して演算制御装置３に読み込まれ、ここで必要な処理がなされて、表示装置５に指令が出される。表示装置５には、画面表示の為の画面データを持っており、画面ファイルメモリ６に記憶されている。画像ファイルメモリ６には、各画面の固定画面、可動画面の画素、ＴＡＧ番号とその属性が同時に記憶されている。ＴＡＧの属性は、画面上の位置、色コード、フリッカーの有無である。また、表示装置５には、画面ファイルを陰極線管（以下ＣＲＴと称す。）に表示する機能を持っている。演算制御装置３と表示装置５の間は、演算制御装置３から表示装置５に対し、ＴＡＧ番号とそのデータを送信することにより、目的とするデータ表示や、マーク表示を可能としている。第２図は、表示装置５における固定画面上のＴＡＧ番号９の設定状態を表している。表示画面５の上にＴＡＧを設定する時、ＴＡＧの番号を記入する前に、色コードとフリッカーを指定してその色とフリッカーで設定する。ＴＡＧの位置８は、ＴＡＧ番号９を設定した後に任意の位置に決定する。ＴＡＧ番号９の番号は、末尾のみが特別な意味を持っているが、上位の桁については特に限定されていない。」（第２頁右下欄第１３行−第３頁左上欄第１８行）
　　　ｄ．「第３図は、前述のＴＡＧ番号９と入力装置２及び出力装置１などのプロセス変数を関連付ける為に定義を行なう、条件設定一覧表１０である。設定一覧表１０に設定するＴＡＧ番号９は、後述する条件によって末尾の番号が変化する為に、その代表として、？マークで代用している。例えば、１２０，１２１，１２２であれば、１２？のように、末尾の０，１，２を？マークで代表して設定している。表示種類１１は、ＴＡＧ番号９の位置に何を表現するかを設定するものである。・・（略）・・信号には、運転、停止、故障などのビットデータと、アナログ量や数値演算などのワードデータがあり、信号名で区分できるようになっている。例えば、第３図条件設定一覧表のレジスタ名におけるＷＸ１０１は、ワードデータを表わし、条件ａ（１５）、条件ｂ（１６）におけるＸ３１，Ｘ３２は、ビットデータを表現している。ファイル名１３は、第２図のＴＡＧの位置８に表示する可動画面の画素を記憶しているファイル名を示す。このファイルは、画面ファイルメモリ６の中に記憶されており、ＴＡＧ番号９と同時に、演算制御装置３より表示装置５に指示される。条件には、タイプが２通りあり、上記の信号名で述べたが、信号の取扱いで、ビット信号とワード（数値）信号に大別され、ここでは、ビット信号での処理をタイプＢとし、ワード信号（数値）での処理をタイプＡとしている。そして、ビット信号は、２種の組合せで、条件ａ（１５）、と条件ｂ（１６）の状態により４種類の組合せがあり、凡例１７にその内容を示す。例えば、第３図を例にして説明すると、条件ａ（１５）のＸ３１がＯＦＦ（０の状態）、条件ｂ（１６）のＸ３２がＯＦＦの時、ＴＡＧ番号９の末尾の？は”０”となり、２３０を決定する。また、条件ａ（１５）のＸ３１がＯＦＦ、条件ｂ（１６）のＸ３２がＯＮ（１の状態）の時、ＴＡＧ番号９の末尾の？は”１”となり、２３１を決定する。以下、凡例１７に示す通りである。条件が１個の場合は、条件ａ（１５）だけに注目し条件ｂ（１６）は考える必要はなく、凡例１７の末尾が”０”と”２”がそれである。」（第３頁左上欄第１９行−右下欄第５行）
　
　（２）以上の記載及び図１〜３、並びに技術常識を参酌すると、引用文献において以下のことが言える。
　　ア．上記（１）ｃより引用文献記載の装置は、プラント監視システムである。そして、ＣＲＴ画面上に被制御プロセス系における制御対象の動作を表示させるために行う、条件設定一覧表への設定は、オペレータや操作者等が行うことは明らかであるから、引用文献記載のプラント監視システムに係る設定・監視の操作は、マン・マシンにより行われているといえ、また、一般的に言われるプログラミングとは異なるものである。
　　イ．監視制御の対象となるプラントには、ポンプ、バルブ、タービン、発電機等の設備又は機器が配設されていることは自明であり、それら設備又は機器の状態を検出するために各種センサが配設されていることも自明である。
　　ウ．図３における、ＴＡＧ番号２３？の表示種類はマーク表示であり、該マークは、１つの制御対象を指すものである。そして、上記（１）ｂ，ｄより、マーク表示の属性（位置、色、フリッカー）は、運転、停止、故障などのビットデータ、すなわちパターン化された番号に対応しており、運転、停止、故障などの動作状態毎に変化するものである。
　
　（３）以上から、引用文献には次の発明が記載されていると認められる。
　
「機器、センサまたは設備の設定内容、動作内容、監視内容等をＣＲＴに表示すると共に、設定や監視の操作をマン・マシンにより行うプラント監視システムにおいて、制御対象である機器または設備の各々を特定するマーク及び属性と、制御対象である機器または設備の各々の動作状態を識別するためのデータとを対応させて条件設定一覧表を作成する手段と前記条件設定一覧表に基いてプログラミングの作成を行うことなく監視画面を作成する手段とを設けたプラント監視システム。」（以下「引用発明」という）
　
４．対比
　
　本願発明と引用発明とを対比すると、後者の「機器」「センサ」「ＣＲＴ」「プラント監視システム」は、それぞれ前者の「制御機器」「測定機器」「ディスプレイ」「設備監視装置」に相当する。また後者の「条件設定一覧表」は、表示方法を規定するためのテーブルとも言えることから、前者の「表示仕様テーブル」に相当する。また後者の「マーク及び属性」も前者の「記号または図形」は、画面上に表示される「画像」である点で共通する。
　したがって、両者は
［一致点］
「制御機器、測定機器または設備の設定内容、動作内容、監視内容等をディスプレイに表示すると共に、設定や監視の操作をマン・マシンにより行う設備監視装置において、前記機器または設備の各々を特定する画像と前記機器または設備の各々の動作状態を識別するためのデータとを対応させて表示仕様テーブルを作成する手段と前記表示仕様テーブルに基いてプログラミングの作成を行うことなく監視画面を作成する手段とを設けたことを特徴とする設備監視装置。」
で一致し、次の点で相違する。
［相違点］
　前者の画像が「記号または図形」であるのに対し、後者は「マーク及び属性」である点。
　
５．判断
　（１）上記相違点について検討する。
　　　プラントの監視制御装置において、プラントの機器や設備を画面上に表示させる場合に、動作状態に応じて視覚的に認識しやすい記号、図形、またはシンボル等を画面上に表示させることは、以下に示すように従来周知の技術である（以下、「周知技術」という）。
　
　　ア．特開平４−６８３９５号公報には、「更に、第７図に示す３種類のバルブの画像ブロックの登録ファイル番号Ｆ２、Ｆ３及びＦ４の何れかを表わす状態情報のメモリユニット（２３）内のワードデバイスアドレスＡ３をキー設定することにより、該アドレスデータが事象ＲＡＭ（４２）の第７番地に格納される。」（第７頁左下欄第２０行−右下欄第５行、あわせて図７も参照のこと）との記載がある。
　　イ．特開平４−１９９０９１号公報には、「１．プラントの構成要素を示すシンボルおよび／または物質を示すシンボルを、使用者がその意味を容易に認識しうる表示態様を用いて表示する表示方法。」（特許請求の範囲第１項、あわせて図面の記載も参照のこと）と記載されている。
　　ウ．実願平２−１２３３９８号（実開平４−８０１９６号）のマイクロフィルムには、「また、上記のＲＡＭ内およびディスク内には、各設備機器を容易に連想させる形状等で形成された故障シンボルを記憶および記録するシンボルデータ領域が形成されており、このシンボルデータ領域には、上記の故障シンボルが予め管理作業者等による登録行為で入力されるようになっている。・・（略）・・シンボルデータ領域の故障シンボルは、系統図データ領域のデータに重畳された故障シンボル画面としてＣＲＴに出力されるようになっている。」（明細書第７頁第１７行−第８頁第１４行）
　
　したがって、引用発明において、動作状態毎に対応したマーク及び属性を、記号または図形とすることに格別の困難性はない。
　
　（２）また、本願発明を全体としてみても、引用発明及び周知技術から予測される以上の格別の効果を奏するものでもない。
　
６．むすび
　以上のとおり、本願発明は、引用発明及び周知技術に基づいて、当業者が容易に発明をすることができたものであるから、特許法第２９条第２項の規定により特許を受けることができない。
　よって、結論のとおり審決する。